(57)【要約】【課題】  車両用空調装置のエアフィルタが取り外された状態でも、送風機モータ消費電力の増大、モータブラシ磨耗増加による寿命低下、他電気部品の作動不良を防止可能である。【解決手段】  空調装置は、送風機を具備しており、前記送風機は、空気を吸引し吐出するファンと、前記ファンを密閉するように囲んでいて空気通路を形成する送風機本体と、前記空気通路に設置されて前記空気から塵、埃等をろ過するエアフィルタとを具備する。前記送風機は前記空気通路内に抵抗板を具備する。前記抵抗板は、前記空気通路内の空気の流れに対して通風抵抗とならない第１の位置と、前記空気通路内の空気の流れに対して通風抵抗となる第２の位置との間において移動可能であり、前記抵抗板は、前記エアフィルタが前記空気通路内に設置される場合に前記第１の位置にあり、前記エアフィルタが前記空気通路内に設置されていない場合に前記第２の位置にある。【選択図】      図１
2005247024.tif 000002
【特許請求の範囲】
【請求項１】
車両用空調において、この空調装置は、
該空調装置に空気を供給するための送風機を具備しており、
前記送風機は、
空気を吸引し吐出するファンと、
前記ファンを密閉するように囲んでいて空気通路を形成する送風機本体と、
前記空気通路に設置されて前記空気から塵、埃等をろ過するエアフィルタと、
を具備しており、
前記送風機は、前記空気通路内に抵抗板を更に具備しており、前記抵抗板は、前記空気通路内の空気の流れに対して通風抵抗とならない第１の位置と、前記空気通路内の空気の流れに対して前記エアフィルタと実質的に同等の通風抵抗となる第２の位置との間において移動可能であり、前記抵抗板は、前記エアフィルタが前記空気通路内に設置される場合に前記第１の位置にあり、前記エアフィルタが前記空気通路内に設置されていない場合に前記第２の位置にあるように構成されることを特徴とする空調装置。
【請求項２】
前記抵抗板は、シャフトを有しており、実質的に平板状であり、前記第１の位置において前記空気通路内の空気の流れに実質的に平行な状態にあり、前記第２の位置において前記空気通路内の空気の流れに平板面を面するように実質的に垂直な状態にあり、更に前記抵抗板は、前記シャフトの軸線周りに回転して、前記第１の位置と前記第２の位置の間で移動することを特徴とする請求項１に記載の空調装置。
【請求項３】
前記抵抗板はアームを具備しており、前記エアフィルタは前記空気通路内に設置される場合に、前記アームに当たってそれを押して、前記抵抗板を前記第２の位置と前記第１の位置との間で移動させることを特徴とする請求項１又は２のいずれかに記載の空調装置。
【請求項４】
前記抵抗板はバネを具備しており、前記バネは前記抵抗板を常に前記第２の位置に設定するように作用しており、前記エアフィルタは前記空気通路内に設置される場合に、前記バネの力に抗して、前記抵抗板を前記第２の位置から前記第１の位置へ移動させることを特徴とする請求項１から３のいずれか一項に記載の空調装置。
【請求項５】
前記エアフィルタと前記抵抗板は、前記ファンの吸い込み側に配置されることを特徴とする請求項１から４のいずれか一項に記載の空調装置。
【発明の詳細な説明】
【技術分野】
【０００１】
本発明は、空調装置に係り、より特別には車両用空調装置のエアフィルタに関する。
【背景技術】
【０００２】
一般的な車両用空調装置の構成は、冷凍サイクルを構成する圧縮機、凝縮器、蒸発器と車室内を空調するための空調器本体、送風機、吹出用のダクトに大別される。空調器本体には、冷暖房用の熱交換器、暖風量と冷風量を調整し任意の温度風にするためのエアーミックスドア、所定の吹出し口に配風するための吹出しモードドアがレイアウトされている。さらに近年では、車室内外の吸込風に混在する塵、埃、嫌な臭い等をろ過するエアフィルタを送風機の吸込口前後等に設定し、エアコンとしての機能を高めている。
【０００３】
このエアフィルタは、性能を維持するため定期的な交換が必要であるが、ユーザによってはコストが掛かる事からエアフィルタを交換せず、取り外した状態で使用してしまう可能性を否定できない。エアフィルタが取り外されると空調装置内の通風抵抗が減少し、送風機のモータ消費電力が増大して、モータブラシ磨耗増加による寿命低下、さらに車両の発電能力を超えることによる他電気部品の作動不良（ヘッドライトのちらつき等）を招く問題がある。
【発明の開示】
【発明が解決しようとする課題】
【０００４】
本発明は上述した事情に鑑みなされたもので、不注意でエアフィルタを取り外した状態で使用しても、空調装置内の通風抵抗を減少させず、従って送風機のモータ消費電力の増大、モータブラシ磨耗増加による寿命低下、更に車両の発電能力を超えることによる他電気部品の作動不良（ヘッドライトのちらつき等）を招くことを防止可能な空調装置を提供することを目的とする。
【課題を解決するための手段】
【０００５】
本発明の請求項１の形態では、空調装置は上述した目的を達成するために、該空調装置に空気を供給するための送風機を具備しており、前記送風機は、空気を吸引し吐出するファンと、前記ファンを密閉するように囲んでいて空気通路を形成する送風機本体と、前記空気通路に設置されて前記空気から塵、埃等をろ過するエアフィルタとを具備する。更に前記空調装置において、前記送風機は、前記空気通路内に抵抗板を更に具備する。前記抵抗板は、前記空気通路内の空気の流れに対して通風抵抗とならない第１の位置と、前記空気通路内の空気の流れに対して前記エアフィルタと実質的に同等の通風抵抗となる第２の位置との間において移動可能であり、前記抵抗板は、前記エアフィルタが前記空気通路内に設置される場合に前記第１の位置にあり、前記エアフィルタが前記空気通路内に設置されていない場合に前記第２の位置にあるように構成されることを特徴とする。
【０００６】
この様に構成することにより、本発明の空調装置においては、エアフィルタを取り外した状態で使用しても、空調装置内の通風抵抗が減少せず、従って送風機のモータ消費電力は増大しない。更にモータブラシ磨耗増加による寿命低下、及び車両の発電能力を超えることによる他電気部品の作動不良（ヘッドライトのちらつき等）を招くことを防止可能である。
【０００７】
本発明の請求項２の形態では、上記請求項１の形態において、前記抵抗板は、シャフトを有しており、実質的に平板状である。前記平板状の抵抗板は、前記第１の位置において前記空気通路内の空気の流れに実質的に平行な状態にあり、前記第２の位置において前記空気通路内の空気の流れに平板面を面するように実質的に垂直な状態にあり、更に前記抵抗板は、前記シャフトの軸線周りに回転して、前記第１の位置と前記第２の位置の間で移動することを特徴とする。
【０００８】
この様に構成することにより、本発明の抵抗板のより具体的な形態を開示する。
【０００９】
本発明の請求項３の形態では、上記請求項１又は２のいずれかの形態において、前記抵抗板はアームを具備しており、前記エアフィルタは前記空気通路内に設置される場合に、前記アームに当たってそれを押して、前記抵抗板を前記第２の位置と前記第１の位置との間で移動させることを特徴とする。
【００１０】
本形態によれば、抵抗板が、エアフィルタを着脱することに伴い第１の位置と第２の位置との間で移動可能な形態をより具体化する。
【００１１】
本発明の請求項４の形態では、上記請求項１から３の形態のいずれか一項において、前記抵抗板はバネを具備しており、前記バネは前記抵抗板を常に前記第２の位置に設定するように作用しており、前記エアフィルタは前記空気通路内に設置される場合に、前記バネの力に抗して、前記抵抗板を前記第２の位置から前記第１の位置へ移動させることを特徴とする。
【００１２】
本形態によれば、抵抗板が、エアフィルタを着脱することに伴い第１の位置と第２の位置との間で自動的に移動可能な形態をより具体化する。
【００１３】
本発明の請求項５の形態では、上記請求項１から４の形態のいずれか一項において、前記エアフィルタと前記抵抗板は、前記ファンの吸い込み側に配置されることを特徴とする。
【００１４】
本形態によれば、抵抗板とエアフィルタの位置をより具体化する形態を開示する。
【発明を実施するための最良の形態】
【００１５】
以下、図面に基づいて本発明の実施の形態の空調装置を詳細に説明する。図１は、本発明に係る車両用空調装置の実施の形態の送風機部分の図解的立体図である。図２は図１の線Ａ−Ａにおける断面図である。本発明に係わる車両用空調装置の本実施の形態は、送風機のファン上流(吸込口側)にエアフィルタが配置されるレイアウト例を示す。図１において、エアフィルタは取り外されている。以下本実施の形態の構成と作動について説明する。
【００１６】
本発明の空調装置は、送風機２０を具備しており、該送風機２０は、送風するためのファン９と、前記ファン９を囲み且つ送風機の構造をなす送風機本体５と、ファン９の上流側（吸い込み側）に設置されて車室内外の吸込風に混在する塵、埃、臭い等をろ過するエアフィルタ１１とを具備する。本実施の形態の送風機２０は、送風機本体５の通風路内に設置される抵抗板１を更に具備する。抵抗板１は、回転軸となるシャフト２と、回転の支点となるアーム３と、エアフィルタ１１の取り外し時に自動復帰するためのコイルバネ４とを具備する。送風機２０は、モータ１０により回転駆動されるファン９により、開口部(吸込口)６から風１７を吸込み、送風機吐出口８より空調装置に送風１８するものである。抵抗板１は図２に示すように、シャフト２の両端を送風機本体５の壁面で支持されている。
【００１７】
コイルバネ４は図３で示すように、シャフト２の一方の端部に取付けられており、コイルバネ４の両先端１５，１６は、シャフト２と送風機本体５の壁面に設けられたストッパ１２，１３により固定される。この際、ストッパ１２，１３の面は、コイルバネ４に捻れがない状態で抵抗板１が風流れを阻害する第２の位置に設定されるように形成される。
【００１８】
エアフィルタ１１の脱着時の抵抗板１の作動を図４Ａから４Ｃに示す。エアフィルタ１１を取り外した場合においては、抵抗板１が倒れた状態（図４Ａ）の第２の位置にある状態になっており、通風面積を縮小することにより通風路の抵抗をエアフィルタ１１装着時と実質的に同等に調整している。フィルタ脱着口７よりエアフィルタ１１を送風機内に装着する際においては、エアフィルタ１１によりアーム３を押し上げると同時に、シャフト２の端部に取り付けたコイルバネ４の反力に打ち勝つことでシャフト２を回転（図４Ｂ）させ、抵抗板１が風流れ１４に平行な通風抵抗とならない状態（図４Ｃ）の第１の位置にある状態となる。逆にエアフィルタ１１の取り外し時には、エアフィルタ１１で押し付けられていたアーム３が開放され、シャフト２のコイルバネ４の力により、抵抗板１が倒れた状態の第２の位置（図４Ａ）に自動復帰する。図５にエアフィルタ１１の装着時の送風機の斜視図を示す。図５においては、抵抗板１は直立し空気の流れ１７に平行な状態にある。
【００１９】
以上のように、通風路に設定しているエアフィルタ１１の脱着に連動して、エアフィルタ１１相当分の通風抵抗を有する抵抗板１作動することにより、エアフィルタ１１の脱着前後での通風路抵抗を実質的に一定にする。
本発明は、エアフィルタを取り外すと通風路の抵抗が低下するという点に着目し、エアフィルタの脱着に連動させてフィルタを外した場合にはフィルタ相当の抵抗板を通風路に付与させる簡易構造の機能を追加し、フィルタ脱着前後での空調装置内の通風抵抗が一定になるようにして上記問題を解決するものである。
【００２０】
次に上記実施の形態の効果及び作用について説明する。本発明の実施の形態の空調装置により以下の効果が期待できる。
・車室内外の吸込風に混在する塵、埃、臭い等をろ過するエアフィルタが設定された車両用空調装置において、エアフィルタの脱着に連動し、フィルタを外した場合にはフィルタ相当の抵抗板が作動し、フィルタ装着時と同一の通風抵抗を付与させる簡易構造の機能を追加することで、不注意にフィルタを取り外された場合の通風抵抗低下で招く送風用ブロワモータの出力増大を抑え、モータブラシ磨耗増加による寿命低下、車両の他電気部品の作動不良（ヘッドライトちらつき等）を防止する。
【００２１】
上記において記載した、あるいは添付図面に示した実施の形態において、エアフィルタ１１及び抵抗板１はファン９の上流側に配置されたが、本発明はこれに限定されず、ファン９の下流側に配置されても良い。
上記の実施の形態において、抵抗板１は平板状であったが、抵抗板はこれ以外の形状、例えば流線型断面を有するものやメッシュ状に形成されるものであっても良く、あるいは、例えば伸縮自在のジャバラ状でフィルタの着脱により伸縮するもの等の当業者に既知なものであっても良い。。
また、バネ４はコイルバネと記載されたが、本発明はこれに限定されず、当業者に既知なこれ以外のバネであっても良い。
【００２２】
上記の実施の形態は本発明の一例であり、本発明は、該実施の形態により制限されるものではなく、請求項に記載される事項によってのみ規定されており、上記以外の実施の形態も実施可能である。
【図面の簡単な説明】
【００２３】
【図１】図１は、本発明に係る車両用空調装置の実施の形態の送風機部分の図解的立体図であり、エアフィルタが取り外された状態を示す。
【図２】図２は、本発明に係る車両用空調装置の実施の形態の送風機部分の抵抗板及びその付近の構造を示す、図１の線Ａ−Ａ断面図である。
【図３】図３は、本発明に係る車両用空調装置の実施の形態の送風機部分の抵抗板のシャフト端部のコイルバネ及びその付近の構造を示す、説明立体図である。
【図４】図４Ａは、本発明の空調装置の実施の形態の抵抗板の作動状態を示す説明図であり、抵抗板は倒れた状態の第２の位置にある。図４Ｂは、本発明の空調装置の実施の形態の抵抗板の作動状態を示す説明図であり、抵抗板が第２の位置から第１の位置に移動しつつある状態を示す。図４Ｃは、本発明の空調装置の実施の形態の抵抗板の作動状態を示す説明図であり、抵抗板は通風抵抗とならない状態の第１の位置にある。
【図５】図５は、本発明に係る車両用空調装置の実施の形態の送風機部分の図解的立体図であり、エアフィルタが装着された状態を示す。
【符号の説明】
【００２４】
１…抵抗板
２…シャフト
３…アーム
４…コイルバネ
５…送風機本体
６…送風機吸込口
７…フィルタ着脱口
８…送風機吐出口
９…ファン
１０…モータ
１１…エアフィルタ
２０…送風機
【図１】
2005247024.tif 000003
【図２】
2005247024.tif 000004
【図３】
2005247024.tif 000005
【図４】
2005247024.tif 000006
【図５】
2005247024.tif 000007